【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
電源側の配線と電気的に接続する配線用遮断器と、この配線用遮断器と電気的に接続するための電気機器とを具備する配線用電気機器であって、
前記配線用遮断器は、電気的１次側に前記配線を接続するための接続端子部を備えると共に、前記電気機器と接合させて接続するための接合面部に、電気的２次側の第１のプラグイン端子部を備え、
前記電気機器は、前記配線用遮断器と接合させて接続するための前方接合面に、前記第１のプラグイン端子部と接続するための第１のプラグ端子部を備え、前記前方接合面部に配置される前記第１のプラグ端子部の位置と対向する後方接合面部の同一位置に第２のプラグイン端子部を備え、
前記電気機器の前方に前記配線用遮断器が接合されることを特徴とする配線用電気機器。
【請求項２】
前記電気機器の２次側に電気的に接続するための第２の電気機器を更に具備し、前記第２の電気機器は、前記電気機器と接合させて接続するための前方接合面部に、前記第２のプラグイン端子部と接続するための第２のプラグ端子部を備え、前記前方接合面部に配置される前記第２のプラグ端子部の位置と対向する後方接合面部の同一位置に第３のプラグイン端子部を備え、
前記第２の電気機器の前方に前記電気機器が接合されることを特徴とする請求項１に記載の配線用電気機器。
【請求項３】
前記電気機器及び前記第２の電気機器は、同一形状の電磁開閉器であることを特徴とする請求項２に記載の配線用電気機器。
【請求項４】
前記電磁開閉器の内部には、上下方向に可動し、第１のプラグ端子部と第２のプラグイン端子部の間に配置される固定接点と可動接点とを有し、前記可動接点は、前記固定接点に対して上下方向に動作されて開閉されることを特徴とする請求項３に記載の配線用電気機器。
【請求項５】
前記電磁開閉器の内部には、前記可動接点を上下方向に可動させるための電磁コイルを前記固定接点の上方に配置し、前記電磁コイルに接続され、垂直方向に移動する鉄芯を含むことを特徴とする請求項３に記載の配線用電気機器。
【請求項６】
前記配線用遮断器及び電気機器の互いに接合される前記接合面部の一方と他方にそれぞれ装着され、互いに係脱可能に係合する係止部と係止受け部とからなる係止部材を設け、前記係止部材によって前記配線用遮断器と電気機器とを着脱可能に接合してなることを特徴とする請求項１又は２に記載の配線用電気機器。
【請求項７】
前記配線用遮断器及び電気機器の互いに接合される前記接合面部の一端側における一方と他方にそれぞれ装着され、互いに係脱可能に係合する係止部と係止受け部とからなる係止部材を設け、前記接合面部の他端側に、前記プラグイン端子部及びプラグ端子部を設けることを特徴とする請求項１又は２記載の配線用電気機器。
【請求項８】
前記係止部材は、前記ブレーカ及び電気機器の接合面部のいずれか一方に設けられる弾性変形可能な係止部と、接合面部の他方に設けられ前記係止部に係脱可能に係合する係止受け部とからなる、ことを特徴とする請求項６又は７に記載の配線用電気機器。
【手続補正２】
【補正対象書類名】明細書
【補正対象項目名】０００９
【補正方法】変更
【補正の内容】
【０００９】
前記課題を解決するために、本発明の配線用電気機器は、電源側の配線と電気的に接続する配線用遮断器と、この配線用遮断器と電気的に接続するための電気機器とを具備する配線用電気機器であって、前記配線用遮断器は、電気的１次側に前記配線を接続するための接続端子部を備えると共に、前記電気機器と接合させて接続するための接合面部に、電気的２次側の第１のプラグイン端子部を備え、前記電気機器は、前記配線用遮断器と接合させて接続するための前方接合面に、前記第１のプラグイン端子部と接続するための第１のプラグ端子部を備え、前記前方接合面部に配置される前記第１のプラグ端子部の位置と対向する後方接合面部の同一位置に第２のプラグイン端子部を備え、前記電気機器の前方に前記配線用遮断器が接合されることを特徴とする（請求項１）。
【手続補正３】
【補正対象書類名】明細書
【補正対象項目名】００１１
【補正方法】変更
【補正の内容】
【００１１】
本発明において、前記電気機器の２次側に電気的に接続するための第２の電気機器を更に具備し、前記第２の電気機器は、前記電気機器と接合させて接続するための前方接合面部に、前記第２のプラグイン端子部と接続するための第２のプラグ端子部を備え、前記前方接合面部に配置される前記第２のプラグ端子部の位置と対向する後方接合面部の同一位置に第３のプラグイン端子部を備え、前記第２の電気機器の前方に前記電気機器が接合されるようにしてもよい（請求項２）。
【手続補正４】
【補正対象書類名】明細書
【補正対象項目名】００１５
【補正方法】変更
【補正の内容】
【００１５】
また、本発明において、前記電磁開閉器の内部に、上下方向に可動し、第１のプラグ端子部と第２のプラグイン端子部の間に配置される固定接点と可動接点とを設けると共に、前記可動接点を、前記固定接点に対して上下方向に動作されて開閉する構造としてもよい（請求項４）。この場合、前記電磁開閉器の内部には、前記可動接点を上下方向に可動させるための電磁コイルを前記固定接点の上方に配置し、前記電磁コイルに接続され、垂直方向に移動する鉄芯を含む構造とする方がよい（請求項５）。
【手続補正５】
【補正対象書類名】明細書
【補正対象項目名】００１９
【補正方法】変更
【補正の内容】
【００１９】
また、本発明において、前記配線用遮断器及び電気機器の互いに接合される前記接合面部の一端側における一方と他方にそれぞれ装着され、互いに係脱可能に係合する係止部と係止受け部とからなる係止部材を設け、前記接合面部の他端側に、前記プラグイン端子部及びプラグ端子部を設ける構造とする方がよい（請求項７）。この場合、前記係止部材は、前記ブレーカ及び電気機器の接合面部のいずれか一方に設けられる弾性変形可能な係止部と、接合面部の他方に設けられ前記係止部に係脱可能に係合する係止受け部とで構成する方がよい（請求項８）。
【手続補正６】
【補正対象書類名】明細書
【補正対象項目名】００２０
【補正方法】変更
【補正の内容】
【００２０】
このように構成することにより、配線用遮断器と電気機器の接合面部、又は電気機器同士の接合面部を接合した状態で、接合面部の一端側においてプラグイン端子部とプラグ端子部が接続し、他端側において係止部材によって配線用遮断器と電気機器の接合面部、又は電気機器同士が固定される。この場合、係止部材を、配線用遮断器及び電気機器の接合面部のいずれか一方に設けられる弾性変形可能な係止部と、接合面部の他方に設けられ係止部に係脱可能に係合する係止受け部とからなる構造とすることにより、いわゆるスナップ係合によって配線用遮断器と電気機器、又は電気機器同士とをワンタッチで固定することができる。
【手続補正７】
【補正対象書類名】明細書
【補正対象項目名】００３４
【補正方法】変更
【補正の内容】
【００３４】
この場合、プラグ端子部２２は、電磁開閉器２０内に配設される電磁コイル２３の通電による励磁によって作動する可動接点２４ａと電気的に接続する固定接点２４ｂ，２４ｃの内の一方の固定接点２４ｂに設けられている。他方の固定接点２４ｃは、電磁開閉器２０の背面部すなわち後方接合面部２１Ａに設けられた第２のプラグイン端子部であるプラグイン端子金具３０Ｂに接続されている。第２のプラグイン端子金具３０Ｂは、上述した配線用遮断器１０に設けられたプラグイン端子金具３０と同様に構成されているので、同一部分には同一符号を付して説明は省略する。また、プラグイン端子金具３０Ｂは、第１のプラグ端子部２２が配置される前方接合面部２１の位置と対向する後方接合面部２１Ａの同一位置に設けられている。なお、プラグイン端子金具３０Ｂのばね力を解除する解除部材（図示せず）の挿入孔部８２が設けられている。このプラグイン端子金具３０Ｂに他の電気機器（図示せず）の端子又は電線６０Ａが電気的に接続される（図７（ｂ）参照）。なお、電磁開閉器２０の上面部には電磁コイル２３の端子２５が設けられている。
【手続補正８】
【補正対象書類名】明細書
【補正対象項目名】００４９
【補正方法】変更
【補正の内容】
【００４９】
なお、図１０に示す第３実施形態において、電磁開閉器２０Ｂ，２０Ｃは、それぞれ前記電磁開閉器２０，２０Ａに対して電磁コイル２３Ｂが下方に配設され、電磁コイル２３Ｂの上方に可動接点２４ａと固定接点２４ｂ，２４ｃが配設されている。この場合、前方に位置する電磁開閉器２０Ｂの前方接合面部２１Ｄに配置されるプラグ端子部２２Ｂは、一方の固定接点２４ｂに一端が接続する逆Ｌ字状の導体部材５０の下端に水平に突設されて、配線用遮断器１０のプラグイン端子金具３０に接続される。また、電磁開閉器２０Ｂの後方接合面部２１Ｅの上部側には他方の固定接点２４ｃに接続するプラグイン端子金具３０Ｄが設けられている。一方、後方に位置する電磁開閉器２０Ｃの前方接合面部２１Ｆの上部側に一方の固定接点２４ｂに接続し、プラグイン端子金具３０Ｄに接続可能なプラグ端子部２２Ｃが設けられ、このプラグ端子部２２Ｃが配置される前方接合面部２１Ｆの位置と対向する後方接合面部２１Ｇの同一位置にプラグイン端子金具３０Ｅが設けられている。
【手続補正９】
【補正対象書類名】明細書
【補正対象項目名】００５０
【補正方法】変更
【補正の内容】
【００５０】
また、図１１に示す第４実施形態において、電磁開閉器２０Ｄ，２０Ｅは、上下に重ね合わされるようになっており、それぞれ前記電磁開閉器２０，２０Ａに対して電磁コイル２３Ｃが横設され、電磁コイル２３Ｃの一側例えば左側に可動接点２４ａと固定接点２４ｂ、２４ｃが配設されている。この場合、下方に位置する電磁開閉器２０Ｄは、一方の固定接点２４ｂに接続されるプラグ端子部２２Ｄは、配線用遮断器１０のプラグイン端子金具３０に接続される。また、電磁開閉器２０Ｄの上方接合面部２１Ｈには、他方の固定接点２４ｃに接続するプラグイン端子金具３０Ｆが設けられている。一方、上方に位置する電磁開閉器２０Ｅの下方接合面部２１Ｊには一方の固定接点２４ｂに接続し、プラグイン端子金具３０Ｆに接続可能なプラグ端子部２２Ｅが設けられ、このプラグ端子部２２Ｅが配置される下方接合面部２１Ｊの位置と対向する上方接合面部２１Ｋの同一位置にプラグイン端子金具３０Ｇが設けられている。
【手続補正１０】
【補正対象書類名】明細書
【補正対象項目名】００５２
【補正方法】変更
【補正の内容】
【００５２】
１０  配線用遮断器
１３  接合面部
２０  電磁開閉器（電気機器）
２０Ａ  第２の電磁開閉器（第２の電気機器）
２１，２１Ｂ  前方接合面部
２１Ａ，２１Ｃ  後方接合面部
２２，２２Ａ  プラグ端子部
２３  電磁コイル
２４a  可動接点
２４b，２４c  固定接点
３０  プラグイン端子金具（第１のプラグイン端子部）
３０Ａ  プラグイン端子金具（接続端子部）
３０Ｂ  プラグイン端子金具（第２のプラグイン端子部）
３０Ｃ  プラグイン端子金具（第３のプラグイン端子部）
４０，４０Ａ  係止部材
４１  係止部
４２  係止受け部